(57)【要約】【課題】大きいキャパシティを有するにも係わらず、従来技術の装置に付随する１つ以上の問題点を解消できるスクロールコンプレッサを提供することにある。【解決手段】本発明のスクロールコンプレッサ（１０）はスクロールポンピング装置を有し、該スクロールポンピング装置は２つのスクロール（２０、２２）を備え、各スクロールが、内方スクロール壁面および外方スクロール壁面を備えたスクロール壁（２８、３４）を有し、前記内方および外方スクロール壁面が他方のスクロール壁のそれぞれ外方および内方スクロール壁面と協働して２対の協働面を形成し、該協働面は両スクロールの軌道運動時に、流体をスクロールポンピング装置の入口から出口へとポンピングし、スクロール壁は、入口と出口との間にそれぞれの複数のラップ（Ｉ、II、III、IV、Ｖ）を備え、少なくとも１つのラップの前記対の一方の協働スクロール壁面はほぼ円形である。【選択図】図２
2015522119.tif 000002
【特許請求の範囲】
【請求項１】
スクロールポンピング装置を備えたスクロールコンプレッサにおいて、２つのスクロールを有し、各スクロールが、内方スクロール壁面および外方スクロール壁面を備えたスクロール壁を有し、前記内方および外方スクロール壁面が他方のスクロール壁のそれぞれ外方および内方スクロール壁面と協働して２対の協働面を形成し、該協働面は、両スクロールの軌道運動時に、流体をスクロールポンピング装置の入口から出口へとポンピングし、スクロール壁は、入口と出口との間にそれぞれの複数のラップを備え、少なくとも１つのラップの前記対の一方の協働スクロール壁面がほぼ円形であることを特徴とするスクロールコンプレッサ。
【請求項２】
前記スクロール壁は入口に隣接する外方ラップを有し、外方ラップの前記一方の対の協働スクロール壁面が円形であることを特徴とする請求項１記載のスクロールコンプレッサ。
【請求項３】
前記スクロールは、固定スクロール壁と、該固定スクロール壁に対して移動でき、流体を入口から出口にポンピングする軌道スクロール壁とを有し、固定スクロール壁の外方ラップの半径方向内方の協働スクロール壁面および軌道スクロール壁の外方ラップの半径方向外方の協働スクロール壁面は円形であることを特徴とする請求項２記載のスクロールコンプレッサ。
【請求項４】
１つのスクロール壁が、半径方向内方のインボリュートの協働面と、半径方向外方の円形の協働面とを有していることを特徴とする請求項１〜３のいずれか１項記載のスクロールコンプレッサ。
【請求項５】
前記固定スクロール壁は、この連続する両ラップの間に１つ以上のポンピングチャネルを形成していることを特徴とする請求項１〜４のいずれか１項記載のスクロールコンプレッサ。
【請求項６】
前記スクロール装置が複数の入口を有し、流体が前記入口を通り、それぞれのポンピングチャネルに沿ってポンピングされ、外方のポンピングチャネルが円形であることを特徴とする請求項５記載のスクロールコンプレッサ。
【請求項７】
１つ以上の前記それぞれのポンピングチャネルが円形でありかつ単一のインボリュートポンピングチャネルを形成すべく収斂していることを特徴とする請求項５または６記載のスクロールコンプレッサ。
【請求項８】
前記スクロール装置は１つ以上の円形ポンピングチャネルおよび１つ以上のインボリュートポンピングチャネルを有し、円形ポンピングチャネルはインボリュートポンピングチャネルより深いことを特徴とする請求項５〜７のいずれか１項記載のスクロールコンプレッサ。
【請求項９】
前記スクロール装置は１つ以上の円形ポンピングチャネルおよび１つ以上のインボリュートポンピングチャネルを有し、円形ポンピングチャネルとインボリュートポンピングチャネルとの間の流れ交差部は、スクロール装置から過大圧力を解放する吹出し弁と流れ連通していることを特徴とする請求項１〜８のいずれか１項記載のスクロールコンプレッサ。
【請求項１０】
スクロールポンピング装置を備えたスクロールコンプレッサにおいて、２つのスクロールを有し、各スクロールが、内方スクロール壁面および外方スクロール壁面を備えたスクロール壁を有し、前記内方および外方スクロール壁面が他方のスクロール壁のそれぞれ外方および内方スクロール壁面と協働して２対の協働面を形成し、該協働面は、両スクロールの軌道運動時に、流体をスクロールポンピング装置の入口から出口へとポンピングし、スクロール壁は、入口と出口との間にそれぞれの複数のラップを備え、少なくとも１つのラップの前記対の一方の協働スクロール壁面が、角度に対する半径の変化率を有し、この変化率は他のラップの変化率より小さく、これにより、前記対の一方の圧縮比が他のラップの圧縮比より小さいことを特徴とするスクロールコンプレッサ。
【発明の詳細な説明】
【技術分野】
【０００１】
本発明は、スクロールコンプレッサに関する。
【背景技術】
【０００２】
従来技術のスクロールコンプレッサすなわちスクロールポンプ１００が図４に示されている。ポンプ１００は、ポンプハウジング１０２と、偏心軸部分１０６を備えた駆動軸１０４とを有している。駆動軸１０４はモータ１０８により駆動され、偏心軸部分１０６は軌道スクロール１１０に連結されており、このため、駆動軸の回転中に、軌道運動を固定スクロール１１２に対する軌道スクロール１１０に伝達し、流体をコンプレッサのポンプ入口１１４とポンプ出口１１６との間の流路に沿ってポンピングする。
【０００３】
固定スクロール１１２は、ほぼ円形のベースプレート１２０に対して垂直に延びているスクロール壁１１８を有している。軌道スクロール１１０は、ほぼ円形のベースプレート１２６に対して垂直に延びているスクロール壁１２４を有している。軌道スクロール壁１２４は、軌道スクロール１１０の軌道運動中に固定スクロール壁１１８と協働すなわち噛合う。両スクロールの相対軌道運動により、両スクロール間に捕捉された一定体積のガスが入口から出口へとポンピングされる。
【０００４】
図５には、固定スクロール壁１１８および軌道スクロール壁１２４が示されている。固定スクロール壁１１８は内側スクロール壁面１２８および外側スクロール壁面１３０を有し、これらの内側および外側スクロール壁面１２８、１３０は、それぞれ、軌道スクロール壁１２４の外側および内側スクロール壁面１３２、１３４と協働する。この構成は、協働する２対のスクロール壁面１２８、１３２；１３０、１３４を形成し、これらの協働スクロール壁面は、両スクロールの相対軌道運動時に、流体を装置の入口１３６、１３７から出口１３８へとポンピングする。両スクロール壁１１８、１２４は、入口と出口との間に、それぞれの複数のラップＩ、II、III、IV、Ｖを有している。協働するスクロール壁面１２８、１３２；１３０、１３４は、入口１３６、１３７から出口１３８に至るインボリュートを形成する。
【０００５】
図５に示された特定スクロール装置は、２つの入口１３６、１３７を備えたいわゆるツインスタート構造であり、この例では両入口１３６、１３７は、異なる半径にあるが同じ周方向角度に位置している。２つの平行ポンピングチャネルが入口１３６、１３７から延び、約３６０°の後に単一のポンピングチャネルに収斂している。ツインスタート構造は、一般にキャパシティを増大させるために設けられる。
【０００６】
図６は、固定スクロール１１２をより詳細に示す図面である。固定スクロール１１２は環状フランジ１４０を有し、該環状フランジは、固定スクロール１１２をポンプハウジング１０２の残部（図示せず）に固定するための複数の貫通孔１４２を備えている。環状凹部１４４が、固定スクロールとポンプハウジングとの間をシールするＯ-リングを受入れる。環状凹部１４４は、フランジ１４０と環状隆起部１４６との間に位置している。固定スクロールの外方ラップＶは、インボリュートまたはスパイラルである半径方向内方の協働面１２８を有している。軌道スクロール壁の外方ラップＶは、固定スクロール壁のラップIVとラップＶとの間に嵌合され、したがって、固定スクロールの外方ラップＶは、協働する外側スクロール壁面を備えていない。
【０００７】
前述のように、或る用途ではスクロールポンプのキャパシティを増大させることが望まれており、図５に示した装置ではツインスタートを採用することによりキャパシティを増大させている。しかしながら、キャパシティを増大させるときはいつでも、圧縮を犠牲にするか、大型ポンプを必要とする。ツインスタートポンプでは、入口から出口まで漸次圧縮するのに、１つ少ないラップを利用でき、したがってツインスタートポンプは一般に圧縮が小さくなる。２つの入口チャネルが単一チャネルに収斂する移行部１５０（図５参照）は、該移行部でラップ同士を効率的にシールできないため、装置の効率を低下させる。したがって、ポンプの性能が低下される。
【発明の概要】
【発明が解決しようとする課題】
【０００８】
本発明の目的は、大きいキャパシティを有するにも係わらず、従来技術の装置に付随する１つ以上の問題点を解消できるスクロールコンプレッサを提供することにある。
【課題を解決するための手段】
【０００９】
本発明は、スクロールポンピング装置を備えたスクロールコンプレッサであって、スクロールポンピング装置が２つのスクロールを有し、各スクロールが、内方スクロール壁面および外方スクロール壁面を備えたスクロール壁を有し、前記内方および外方スクロール壁面が他方のスクロール壁のそれぞれ外方および内方スクロール壁面と協働して２対の協働面を形成し、該協働面は、両スクロールの軌道運動時に、流体をスクロールポンピング装置の入口から出口へとポンピングし、スクロール壁は、入口と出口との間にそれぞれの複数のラップを備え、少なくとも１つのラップの前記対の一方の協働スクロール壁面がほぼ円形であるスクロールコンプレッサを提供する。
【００１０】
また本発明は、スクロールポンピング装置を備えたスクロールコンプレッサであって、スクロールポンピング装置が２つのスクロールを有し、各スクロールが、内方スクロール壁面および外方スクロール壁面を備えたスクロール壁を有し、前記内方および外方スクロール壁面が他方のスクロール壁のそれぞれ外方および内方スクロール壁面と協働して２対の協働面を形成し、該協働面は、両スクロールの軌道運動時に、流体をスクロールポンピング装置の入口から出口へとポンピングし、スクロール壁は、入口と出口との間にそれぞれの複数のラップを備え、少なくとも１つのラップの前記対の一方の協働スクロール壁面が、角度に対する半径の変化率を有し、この変化率は他のラップの変化率より小さく、これにより、前記対の一方の圧縮比が他のラップの圧縮比より小さいスクロールコンプレッサを提供する。
【００１１】
本発明の他の好ましい態様および／またはオプショナルな態様は、特許請求の範囲の実施態様項に記載されている。
【００１２】
本発明がより良く理解されるように、単なる一例として示す一実施形態について添付図面を参照して以下に説明する。
【図面の簡単な説明】
【００１３】
【図１】スクロールポンプを概略的に示す図面である。
【図２】図１に示したポンプの第１スクロールポンピング装置を示す図面である。
【図３】図１に示したポンプの第２スクロールポンピング装置を示す図面である。
【図４】従来技術のスクロールポンプを示す図面である。
【図５】図４に示したポンプの従来技術のスクロールポンピング装置を示す図面である。
【図６】従来技術のポンプの固定スクロールをより詳細に示す図面である。
【発明を実施するための形態】
【００１４】
図１には、スクロールコンプレッサすなわちスクロールポンプ１０が示されている。ポンプ１０は、ポンプハウジング１２と、偏心軸部分１６を備えた駆動軸１４とを有している。駆動軸１４はモータ１８により駆動され、偏心軸部分１６は軌道スクロール２０に連結されていて、使用中に、駆動軸の回転により固定スクロール２２に対する軌道運動が軌道スクロール２０に伝達され、コンプレッサ１０のポンプ入口２４とポンプ出口２６との間の流体流路に沿って流体をポンピングする。
【００１５】
固定スクロール２２は、ほぼ円形のベースプレート３０に対して垂直に延びているスクロール壁２８を有している。軌道スクロール２０は、ほぼ円形のベースプレート３６に対して垂直に延びているスクロール壁３４を有している。軌道スクロール２０の軌道運動中に、軌道スクロール壁３４は固定スクロール壁２８と協働すなわち噛合う。両スクロールの相対軌道運動により、一定体積のガスが両スクロール間に捕捉されて、入口２４から出口２６へとポンピングされる。
【００１６】
図２に示すように、固定スクロール壁２８は内側スクロール壁面３８および外側スクロール壁面４０を有し、これらはそれぞれ、軌道スクロール壁３４の外側スクロール壁面４２および内側スクロール壁面４４と協働して、２対の協働面３８、４２；４０、４４を形成する。両スクロール２０、２２の相対軌道運動時に、流体は、装置の入口４６、４８から出口５０へとポンピングされる。両スクロール壁２８、３４は、入口と出口との間に、それぞれ複数のラップＩ、II、III、IV、Ｖを有している。少なくとも１つのラップの１対の協働するスクロール壁面３８、４２；４０、４４は円形である。
【００１７】
一般に、スクロールポンプの協働するスクロール壁面はインボリュートまたはスパイラルである。流体が出口２６に近づくにつれてポンプが流体を圧縮するので、協働する各対の壁面により捕捉される流体の体積は縮小する。従来技術に関連して前述したように、ポンピングキャパシティすなわちポンピングできる流体の量を増大させるための多くの試みがなされてきた。これらの試みはキャパシティを増大させるが、圧縮の低下または逆漏洩（バックリーク）の増大等の欠点を有する。本発明では、１対のスクロール壁面がインボリュートではなく、実質的に円形である。
【００１８】
アルキメデススパイラルおよび大きい角度のインボリュートの場合には、従来技術のポンプの幾何学的形状は、角度の変化に対する半径の変化率がほぼ一定である。アルキメデススパイラル（ｒ＝ａθ）の場合、ｒが半径、θがスパイラルの中心の回りの角度であるとすると、ｄｒ／ｄθ＝ａ（一定）となる。インボリュートの場合、ｄｒ／ｄθは一定ではなく、最初の１／２ターンについては大きく変化し、次に１つの値になる傾向を有する。換言すれば、角度が大きくなるにつれて、ｄｒ／ｄθはリーズナブルな定数になる。円形の場合には、ｄｒ／ｄθ＝０である。すなわち、ｄｒ／ｄθは一定である。
【００１９】
本発明では、少なくとも１つのラップＩ、II、III、IV、Ｖでのスクロール壁面３８、４２；４０、４４の少なくとも１つの対についてのｄｒ／ｄθは、スパイラルが円形経路に近づくようにかつ上記定義の幾何学的スパイラルまたはインボリュートから遠のくように小さくなる。すなわち、ｄｒ／ｄθが、スパイラルについて「ａ」に等しくかつ円形について０ならば、本発明の実施形態については、ｄｒ／ｄθは、「ａ」と０との間の値、好ましくは０に近い値に等しくなる。したがって、本発明の利益はｄｒ／ｄθを小さくすることにより、したがって両スクロール壁面間に捕捉される体積を増大させることにより達成できるが、その最も好ましい例ではスクロール壁面は円形である。したがって、小さいｄｒ／ｄθはポンピングキャパシティを増大させかつ圧縮を低下させる。円形またはほぼ円形のスクロール壁面は、ラップＩ、II、III、IV、Ｖのいずれか１つ、または２以上のラップ、または全てのラップに設けることができ、全てのラップに設けた例を図３に関連してより詳細に後述する。
【００２０】
図２に示した第１例では、外方ラップＶの固定スクロール壁２８は唯一の協働面４０を有し、他方の面４１はポンピングされる体積（流体）とは無関係である。協働面４０は円形である。外方ラップＶの軌道スクロール壁３４は２つの協働面４３、４５を有し、両協働面とも円形である。外側面４３は固定スクロール壁２８の内側面４０と協働し、一方、内側面４５は固定スクロール壁のラップIVの外側面４７と協働する。この例のポンプの半径方向内方の他の壁面はインボリュートである。円形面とインボリュート面との間の移行部は、ラップIVの固定スクロール壁により形成される。このスクロール壁は、第１部分４９と第２部分５１との間で半径方向厚さが増大しており、これにより円形の外側面４７およびインボリュートの内側面５３を形成している。
【００２１】
図６に示すように、一般に、固定スクロールケーシング１４０、１４４、１４６、１４８はほぼ円形であり、このため、固定スクロールは小さい全体的体積およびフットプリントを有する。しかしながら、固定スクロール壁１１８の内側スクロール壁面１２８はスパイラルである。したがって、従来技術の図５に示すように、円形１５２と固定スクロールの外方ラップＶとの間の領域が喪失されており、流体をポンピングするのに有効に利用できない。この喪失ポンピング領域がスクロールのポンピング体積内に移されることは、図２に示す本発明の実施形態の優れた特徴である。この点に関し説明すると、ポンピング体積に関係しない円形とスパイラルとの間の移行部を設ける代わりに、ポンピング体積内に移行部が移されるのである。したがって、図示のように、固定スクロール壁２８の内側スクロール面４０は円形であり、円形面とスパイラル面との間の移行部は固定スクロールのラップIVに生じる。したがって、ポンプの全体積またはフットポイントを増大させることなく、ポンプのポンピングキャパシティが増大される。
【００２２】
単一の円形ラップでは圧縮を達成できないことは理解されよう。なぜならば、互いに協働するスクロール壁面同士の間の捕捉体積は、円形表面に沿うポンピングによっては縮小されないからである。しかしながら、円形スクロール壁面は、同じ半径のスパイラル面より大きい体積を捕捉できる特有性を有するためキャパシティが増大され、したがって、より大きいキャパシティを達成できる。更に、外方のスクロールラップの両協働面が円形である場合には、ポンプの以前に使用されていない領域がポンピング体積に移される。
【００２３】
再び図２を参照して説明すると、ラップＩ〜ラップIIIはインボリュート、ラップＶは円形およびラップIVは円形とスパイラルとの間の移行部である。図示の例では、ラップIVの固定スクロール壁は、円形の外側スクロール壁面４７と、スパイラルの内側スクロール壁面５３とを有している。移行部は必然的に比較的厚いスクロール壁となり、したがって移行部は、静止する固定スクロールに設けるのが有利である。なぜならば、厚い軌道スクロール壁は、ポンプの可動コンポーネンツの重量を増大させてしまうからである。或いは、移行部を軌道スクロールに設けることもでき、この場合には、軌道スクロールを中空にして、軌道運動中に運動させるべき質量を低減させる。この点に関して説明すると、軌道スクロールの外方ラップＶは、その外側スクロール壁面を円形とし、その内側スクロール壁面をスパイラルとすることができる。この構成では、スクロール壁の外方ラップの協働する両面のみが円形となる。換言すれば、最外方のポンピングチャネルのみが円形となる。
【００２４】
円形ポンピング面とスパイラルポンピング面との間の移行部は、軌道スクロールのいずれかのラップに設けるか、固定スクロールのいずれかのラップに設けることもできる（但し、固定スクロールの外方ラップを除く）ことに留意されたい。
【００２５】
図２に示すスクロールポンピング装置への入口２４は、それぞれのポンピングチャネル５０、５２への入口４６、４８に細分割される。従来技術に関連して前述したように、ポンピングキャパシティを増大させるため、一般に、２スタート構造またはマルチスタート構造がしばしば使用されている。図示の例は、異なる半径方向位置にある２つの入口４６、４８を有しているが、他の例では、同じ半径方向位置で異なる周方向位置に入口を設けることもできる。本発明はこれらの全ての例を含むものである。
【００２６】
図５に参照番号１５０で示すようにポンピングチャネルが収斂する構成のマルチスタート構造には１つの問題が存在する。より詳細には、多チャネルと単一チャネルとの間の収斂箇所ではスクロール壁が連続しておらず、したがって、逆漏洩を防止するチップシールにギャップが生じる。したがって、逆漏洩が増大するため、ポンピング効率が低下する。
【００２７】
本発明の実施形態では、ポンピングチャネル５０、５２は参照番号５４で示す位置で収斂し、チップシールが不連続になるため、この収斂はポンピング効率を幾分低下させる原因となる。しかしながら、円形ポンピングチャネル５０により得られる大きいポンピングキャパシティは、収斂箇所５４での逆漏洩を、少なくとも部分的に、好ましくは完全に補償する。この点に関し、ポンピングチャネル５０は、軌道スクロール壁３４の外方ラップＶの両側に形成された２対の協働面を有している。したがって、本発明の実施形態は、効率低下を受けないマルチスタートスクロールポンピング装置を提供できる。
【００２８】
図２にはマルチスタート装置が示されているが、本発明はシングルスタートポンピング装置にも等しく適用できる。すなわち、固定スクロール壁が、（シングルスタート装置にけるように）両連続ラップの間に１つのポンピングチャネルを形成するか、収斂するスクロール壁の両連続ラップの間に２つ以上のポンピングチャネルを形成する。
【００２９】
他の構成では、マルチスタートスクロール装置またはシングルスタートスクロール装置が、１つ以上の円形ポンピングチャネルおよび１つ以上のインボリュートポンピングチャネルを有し、円形ポンピングチャネルがインボリュートポンピングチャネルより深くなっている。従来技術のポンプでの深いチャネルから浅いチャネルへの移行部は、チップシールが不連続であるので、しばしば非効率の原因となっていた。しかしながら、本発明のこの例では、深いポンピングチャネルの円形の性質が、移行部で引き起こされる逆漏洩を補償する。
【００３０】
他のスクロールポンピング装置では、１つ以上の円形ポンピングチャネルおよび１つ以上のインボリュートポンピングチャネルが設けられ、円形ポンピングチャネルとインボリュートポンピングチャネルとの間の流れ交差部が、スクロール装置から過大圧力を解放する吹出し弁と流れ連通している。前記流れ交差部は、吹出し弁が高キャパシティ領域と低キャパシティ領域との間の移行部に配置されかつ実質的に過大圧力での運転が行われるときは、吹出し弁に適した位置に設けられる。
【００３１】
図３には、更に別のスクロール装置が示されている。固定スクロール２２は、ほぼ円形の４つの区分セクションを備えたスクロール壁６０を有している。軌道スクロール２０は、ほぼ円形の４つの区分セクションを備えたスクロール壁６２を有している。軌道スクロール壁６２は、軌道スクロール２０の軌道運動中に、固定スクロール壁６０と協働すなわち噛合う。両スクロール２０、２２の相対軌道運動により、両スクロールの間に捕捉された一定体積のガスが入口６４から出口６６へとポンピングされる。
【００３２】
図３に示すように、固定スクロール壁６０および軌道スクロール壁６２の各々は４つのラップＩ、II、III、IVを有し、この例ではこれらのラップは４つの円形壁セクションで形成されている。連続ラップの固定スクロール壁セクションは、これらの間に４つの円形ポンピングチャネル６８、７０、７２、７４を形成している。例えば、ラップIIIおよびラップIVの固定スクロール壁セクションは、ポンピングチャネル６８を形成している。軌道スクロール壁の４つのセクションが、それぞれのポンピングチャネル内に位置している。
【００３３】
外方ポンピングチャネル６８に関し、ラップIIIおよびラップIVの固定スクロール壁セクションは、それぞれ、外側スクロール壁面７６および内側スクロール壁面７８を形成している。ラップIVの軌道スクロール壁セクションは、内側スクロール壁面８０および外側スクロール壁面８２を形成し、これらはそれぞれ外側固定スクロール壁面７６および内側固定スクロール壁面７８と協働して、ポンピングチャネル６８内に２対の協働面７６、８０；７８、８２を形成する。両スクロールの相対軌道運動時に、外方ポンピングチャネル６８内の流体は両対の協働面の間で捕捉され、チャネル入口８４からチャネル出口８６へとポンピングされる。
【００３４】
各ポンピングチャネルは３６０°より小さい角度（実質的に３６０°より小さく、例えば約３５０°）に亘って延びており、このため、ポンピングチャネルは不完全な円形を形成する。各ポンピングチャネルの端部は１つ以上の壁閉塞部８８、９０により閉じられており、これによりポンピングチャネル内の出口から入口を分離している。閉塞部８８、９０は弧状であり、このため、軌道スクロール壁セクションの一端が、軌道運動中に閉塞部の面を横切って払拭（スイープ）する。この構成により、軌道スクロール壁によって流体を効率的に捕捉することができる。
【００３５】
各チャネルの出口８６は、ダクト（矢印９２で示す）を介して、次の内方ポンピングチャネルの入口８４に連結されている。チャネル６８内に捕捉された流体は、チャネル７０に入るダクト９２に沿って強制的に送られ、以下同様に、流体は最内方のチャネル７４の出口を通ってポンピング装置の出口６６まで強制的に送られる。流体が１つのチャネルから次のチャネルにポンピングされると、捕捉される体積が徐々に小さくなるので圧縮される。したがって、全てのポンピングチャネルおよび協働面が円形であっても圧縮が行われる。
【００３６】
円形の壁プロファイルは、設計、製造および検査が容易である。この簡単なプロファイルは、より良い公差の達成を可能にする。全てのラップを円形にすることにより、全段間の過大圧縮を防止でき、このためポンピング効率を最高にできる。
【００３７】
図２のポンピング装置では、外方のポンピングチャネルが円形で、残りのポンピングチャネルがスパイラルである。この構成によりデッドスペースが減少され、したがってキャパシティが増大される。円形のポンピングチャネルは、圧縮することなく大きいキャパシティを達成する。図３のポンピング装置では、全てのポンピングチャネルが円形である。本発明はまた、１つ、２つまたは３つのラップすなわちポンピングチャネルが円形であるこれらの２つの例におけるあらゆる構成を含むものである。したがって、本発明は、１対のみの協働スクロール壁面が円形であるか、少なくともほぼ円形である構成、および全ての協働面が円形で、これらに全ての可能性を有する構成をカバーする。
【００３８】
マルチスタートポンプでは、最初のスタートでの１つのポンピングチャネルを円形にするか、２つ以上のスタートでの複数のポンピングチャネルを円形にするか、全てのスタートでの全てのポンピングチャネルを円形にすることができる。
【符号の説明】
【００３９】
１０  スクロールコンプレッサ（スクロールポンプ）
２０  軌道スクロール
２２  固定スクロール
２４  ポンプ入口
２６  ポンプ出口
２８、６０  固定スクロール壁
３４、６２  軌道スクロール壁
６８、７０、７２、７４  円形ポンピングチャネル
８４  チャネル入口
８６  チャネル出口
８８、９０  壁閉塞部
９２  ダクト
【図１】
2015522119.tif 000003
【図２】
2015522119.tif 000004
【図３】
2015522119.tif 000005
【図４】
2015522119.tif 000006
【図５】
2015522119.tif 000007
【図６】
2015522119.tif 000008
【国際調査報告】
2015522119.tif 000009
2015522119.tif 000010
2015522119.tif 000011